(57)【要約】【課題】簡単な構造でＦＰＣに対して被写体光束が当たらないように、かつ可動レンズが干渉しないようにすると共に、ＦＰＣをレンズ鏡筒の穴から外部に引き出す際の作業性を向上させる仕組みを提供する。【解決手段】ズーム式レンズ鏡筒は、固定筒２９と固定筒２９の外周部に配置される板状部３６との間に、ＦＰＣ１０を内部から外部に引き出すための光軸方向に貫通する穴３３が形成される。そして、レンズ鏡筒が沈胴位置と撮影位置との間を光軸方向に移動する際に、穴３３によってＦＰＣ１０が光軸方向に案内される。【選択図】図２
2012137526.tif 000002
【特許請求の範囲】
【請求項１】
沈胴位置と撮影位置との間を光軸方向に移動して撮影倍率を変更するズーム式のレンズ鏡筒であって、
固定筒と前記固定筒の外周部に配置される板状部との間に、可撓性を有する基板を内部から外部に引き出すための光軸方向に貫通する穴が形成され、
前記沈胴位置と前記撮影位置との間を光軸方向に移動する際に、前記穴によって前記基板が光軸方向に案内されることを特徴とするレンズ鏡筒。
【請求項２】
前記穴において前記基板の被写体側への移動を規制する前記固定筒の端部よりも前記基板の撮像面側への移動を規制する前記板状部の端部の方が被写体側に配置されることを特徴とする請求項１に記載のレンズ鏡筒。
【請求項３】
前記板状部の外周部に、前記基板が接続されるコネクタが配置されることを特徴とする請求項１又は２に記載のレンズ鏡筒。
【発明の詳細な説明】
【技術分野】
【０００１】
本発明は、デジタルカメラ等の撮像装置に搭載され、沈胴位置と撮影位置との間を光軸方向に移動して撮影倍率を変更するズーム式のレンズ鏡筒に関する。
【背景技術】
【０００２】
ズーム式のレンズ鏡筒では、絞りやシャッタを駆動する電磁駆動部が絞りやシャッタとともに光軸方向に変位するものがある。
【０００３】
ところで、電磁駆動部は、フレキシブルプリント基板を介してカメラ本体のメイン基板と接続されるため、電磁駆動部が光軸方向に変位すると、フレキシブルプリント基板が撓むことになる。
【０００４】
図６を参照して、具体的に説明する。図６は、従来のズーム式のレンズ鏡筒がワイド位置とテレ位置との中間にあるときの断面図である。
【０００５】
図６に示すように、電磁駆動部に接続されたフレキシブルプリント基板１０１は、レンズ鏡筒の内部から光軸方向に対して直交する方向に貫通して形成された穴１０６を通って外部に引き出され、コネクタ１０８等を介してカメラ本体のメイン基板に接続される。そして、被写体の光束１０７は、第１群レンズ１０３及び第２群レンズ１０４を透過し、第３群レンズ１０５を介して撮像素子１０２に結像する。
【０００６】
しかし、上述したように、電磁駆動部の光軸方向の変位に際してフレキシブルプリント基板１０１に撓みが生じると、被写体光束１０７が撓んだ状態のフレキシブルプリント基板１０１で反射して第３群レンズ１０５を透過し、撮像素子１０２に達する場合がある。この場合、ゴーストとして撮影画像の劣化を引き起こす原因となる。
【０００７】
また、図６の破線で示すように、フォーカス調整のために第３群レンズ１０５が光軸方向を被写体側に移動した際に、撓んだ状態のフレキシブルプリント基板１０１に第３群レンズ１０５が干渉する虞れがあり、フォーカス調整精度が劣化する原因になる。
【０００８】
そこで、このような不都合を解消するため、フレキシブルプリント基板のレンズ鏡筒の内部へのはみ出しを抑制するガイド部材を設けた技術が提案されている（特許文献１）。
【０００９】
また、フレキシブルプリント基板を巻き付けたガイドローラをフレキシブルプリント基板が接続されるシャッタユニットの光軸方向の移動に応じて移動させることで、フレキシブルプリント基板の撓みを吸収する技術が提案されている（特許文献２）。
【先行技術文献】
【特許文献】
【００１０】
【特許文献１】特開２００１−２６４６０９号公報
【特許文献２】特開２００１−１８８２８９号公報
【発明の概要】
【発明が解決しようとする課題】
【００１１】
しかし、上記特許文献１では、ガイド部材が必要となるため、構造が複雑となると共に、レンズ鏡筒の小型化の妨げになる。また、フレキシブルプリント基板をガイド部材を介してレンズ鏡筒の穴から外部に引き出す必要があるため、引き出し作業が面倒になる。
【００１２】
また、上記特許文献２についても、ガイドローラとガイドローラを案内する案内部材が必要となるため、構造が複雑となると共に、レンズ鏡筒の小型化の妨げになる。また、フレキシブルプリント基板をガイドローラを介してレンズ鏡筒の穴から外部に引き出す必要があるため、引き出し作業が面倒になる。
【００１３】
そこで、本発明は、簡単な構造で可撓性を有する基板に対して被写体光束が当たらないように、かつ可動レンズが干渉しないようにすると共に、基板をレンズ鏡筒の穴から外部に引き出す際の作業性を向上させる仕組みを提供することを目的とする。
【課題を解決するための手段】
【００１４】
上記目的を達成するために、本発明のレンズ鏡筒は、沈胴位置と撮影位置との間を光軸方向に移動して撮影倍率を変更するズーム式のレンズ鏡筒であって、固定筒と前記固定筒の外周部に配置される板状部との間に、可撓性を有する基板を内部から外部に引き出すための光軸方向に貫通する穴が形成され、前記沈胴位置と前記撮影位置との間を光軸方向に移動する際に、前記穴によって前記基板が光軸方向に案内されることを特徴とする。
【発明の効果】
【００１５】
本発明によれば、簡単な構造で可撓性を有する基板に対して被写体光束が当たらないように、かつ可動レンズが干渉しないようにすることができると共に、基板をレンズ鏡筒の穴から外部に引き出す際の作業性を向上させることができる。
【図面の簡単な説明】
【００１６】
【図１】本発明の実施形態の一例であるレンズ鏡筒を光軸方向の被写体側から見た図である。
【図２】図１のＡ−Ａ線断面図である。
【図３】レンズ鏡筒がワイド位置にある状態での断面図である。
【図４】レンズ鏡筒がテレ位置にある状態での断面図である。
【図５】レンズ鏡筒がワイド位置とテレ位置との中間のミドル位置にある状態での断面図である。
【図６】従来のズーム式のレンズ鏡筒がワイド位置とテレ位置との中間にあるときの断面図である。
【発明を実施するための形態】
【００１７】
以下、本発明の実施形態の一例であるレンズ鏡筒を、図面を参照して説明する。
【００１８】
図１は本発明の実施形態の一例であるレンズ鏡筒を光軸方向の被写体側から見た図、図２は図１のＡ−Ａ線断面図である。なお、図１及び図２は、レンズ鏡筒の沈胴状態を示している。
【００１９】
図１及び図２に示すように、本実施形態のレンズ鏡筒は、可撓性を有するフレキシブルプリント基板（以下、ＦＰＣという。）１０が固定筒２９と板状部３６との間に形成された穴３３から外部に引き出されて、中継基板１１に実装されたコネクタ１２に接続される。中継基板１１は、不図示のカメラ本体のメイン基板に接続される。なお、穴３３から外部に引き出されたＦＰＣ１０をメイン基板に直接接続するようにしてもよい。
【００２０】
次に、図２を参照して、レンズ鏡筒の基本的構造について簡単に説明する。図２に示すように、レンズ鏡筒は、沈胴位置と撮影位置との間を光軸方向に移動して撮影倍率を変更するズーム式とされ、１群レンズ２０を保持する１群ホルダ２１、２群レンズ２２を保持する２群ホルダ２３、及び３群レンズ２４を保持する３群ホルダ２５を備える。
【００２１】
１群カム環２６は、内周面に１群ホルダ２１を光軸方向へ変位させるカム溝を有する。１群ホルダ２１には、カムフォロワピンが植設されており、カムフォロワピンは、１群カム環２６のカム溝にカム係合する。同様に、２群カム環２７は、内周面に２群ホルダ２３を光軸方向へ変位させるカム溝を有する。２群ホルダ２３には、カムフォロワピンが植設されており、カムフォロワピンは、１群カム環２７のカム溝にカム係合する。
【００２２】
移動カム環２８は、内周面に１群カム環２６、及び２群カム環２７を光軸方向へ変位させるカム溝を有する。固定筒２９は、内周面に移動カム環２８を光軸方向へ変位させるカム溝を有する。移動カム環２８は、外周面に固定筒２９のカム溝にカム係合するカムフォロワピンが植設されており、不図示の駆動源によって回転駆動される。これにより、移動カム環２８は、固定筒２９のカム溝に沿って回転しながら光軸方向へ移動する。
【００２３】
そして、１群カム環２６、及び２群カム環２７は、移動カム環２８の回転に伴って回転するように移動カム環２８にキー結合されている。また、１群ホルダ２１、及び２群ホルダ２３は、回転しないように移動カム環２８に案内され、これにより、移動カム環２８の回転繰り出しに応じて１群ホルダ２１、及び２群ホルダ２３が光軸方向へ移動する。
【００２４】
３群レンズ２４は、本実施形態では、フォーカスレンズで構成され、カメラ本体のメイン基板からの指示に基づき制御される不図示のねじ送り機構によって光軸方向へ駆動される。１群レンズ２０、２群レンズ２２、及び３群レンズ２４を透過した被写体光束は、撮像素子３０に結像して電気信号に変換される。
【００２５】
シャッタコイル３１は、シャッタ３１ａを開閉駆動する電磁駆動部である。ＩＳコイル３２は、通電されることによって磁界を発生させ、２群ホルダ２３に取り付けられた不図示のマグネットとともに、手ぶれ補正のために２群レンズ２２を有する２群ホルダ２３を光軸と直交する面上で変位させる。シャッタコイル３１及びＩＳコイル３２は、共に２群ホルダ２３と一体に光軸方向へ移動する。また、シャッタコイル３１及びＩＳコイル３２には、ＦＰＣ１０の一端が接続される。
【００２６】
ここで、図２に示すレンズ鏡筒の沈胴状態では、シャッタコイル３１及びＩＳコイル３２に一端が接続されたＦＰＣ１０は、２群ホルダ２３と２群カム環２７との間を光軸方向に沿って撮像素子３０側に延びて配置される。
【００２７】
その後、ＦＰＣ１０は、２群カム環２７、１群カム環２６及び移動カム環２８の背面側端面に沿って径方向外側に延びた後、光軸方向に沿って被写体側に延びて光軸方向に貫通する穴３３を通ってレンズ鏡筒の外部に引き出される。
【００２８】
外部に引き出されたＦＰＣ１０は、板状部３６の被写体側の端部３５から寸法Ｂだけ被写体側にはみ出した位置で略１８０°屈曲して板状部３６の外周面に沿って光軸方向を撮像素子３０側に延び、板状部３６に外周部に配置されたコネクタ１２に接続される。即ち、レンズ鏡筒の沈胴状態では、ＦＰＣ１０は板状部３６の端部３５に接しないように、寸法Ｂだけ被写体側にはみ出した位置で１８０°屈曲して配設されている。
【００２９】
コネクタ１２は、上述したように、カメラ本体のメイン基板に接続される中継基板１１に実装されており、これにより、シャッタコイル３１及びＩＳコイル３２がＦＰＣ１０、コネクタ１２及び中継基板１１を介してカメラ本体のメイン基板に電気的に接続される。
【００３０】
図３はレンズ鏡筒がワイド位置にある状態での断面図、図４はレンズ鏡筒がテレ位置にある状態での断面図、図５はレンズ鏡筒がワイド位置とテレ位置との中間のミドル位置にある状態での断面図である。
【００３１】
図３に示すように、レンズ鏡筒が沈胴位置からワイド位置に繰り出した際には、ＦＰＣ１０は、固定筒２９と板状部３６との間に形成された穴３３によって光軸方向に案内される。これは、穴３３においてＦＰＣ１０の被写体側への移動を規制する固定筒２９側の端部３４よりもＦＰＣ１０の撮像面側への移動を規制する板状部３６の端部３５の方が被写体側に配置されているためである。
【００３２】
換言すれば、板状部３６の固定筒２９側の端部３４より被写体側の部分３６ａ（ハッチング部分）と固定筒２９の外周面によって形成される穴３３によりＦＰＣ１０が光軸方向へ案内される。これにより、シャッタコイル３１及びＩＳコイル３２が２群ホルダ２３と一体に光軸方向へ移動した際のＦＰＣ１０の撓みを抑制することができる。
【００３３】
また、図４に示すレンズ鏡筒のテレ状態では、ＦＰＣ１０の長さは、テレ位置を基準に決められるため、レンズ鏡筒の内部でＦＰＣ１０が必要以上に撓むことはない。更に、図５に示すレンズ鏡筒のミドル状態では、ＦＰＣ１０は、図３のワイド状態と同様に、穴３３により光軸方向へ案内されて、レンズ鏡筒の内部での撓みが抑制される。
【００３４】
なお、図３に破線で示すＦＰＣ１０は、従来例との比較のために図示したものである。従来例では、固定筒２９に対して光軸と直交する方向に形成した穴からＦＰＣ１０を外部に引き出していたため、レンズ鏡筒内の穴近傍ＡでＦＰＣ１０が光軸方向に案内されず、レンズ鏡筒の径方向内側に大きく撓むことになる。
【００３５】
次に、ＦＰＣ１０をレンズ鏡筒の内部から外部へ引き出す方法について説明する。ＦＰＣ１０を穴３３から外部に引き出す際には、ＦＰＣ１０のコネクタ１２への差し込み長さ分を考慮して引き出す必要がある。
【００３６】
このため、ＦＰＣ１０の引き出し長さに余裕があるレンズ鏡筒のワイド状態又はミドル状態でＦＰＣ１０を穴３３から外部に引き出す作業を行う。その際、本実施形態では、穴３３が光軸方向に貫通しているので、レンズ鏡筒の内部において、撮像素子３０側から被写体側へ穴３３を容易に見通すことができ、ＦＰＣ１０の挿入箇所が確認しやすくなっている。
【００３７】
以上説明したように、本実施形態では、ＦＰＣ１０のレンズ鏡筒内での撓みを抑制することができるので、ＦＰＣ１０に被写体光束が当たらないようにすることができる共に、３群ホルダ２５とＦＰＣ１０との干渉を回避することができる。
【００３８】
また、本実施形態では、固定筒２９と板状部３６との間に形成された光軸方向に貫通する穴３３からＦＰＣ１０を外部に引き出すようにしている。このため、新たな部材を必要とすることなく、簡単な構造でＦＰＣ１０のレンズ鏡筒内での撓みを抑制することができるとともに、ＦＰＣ１０をレンズ鏡筒の内部から外部に引き出す際の作業性を向上させることができる。
【００３９】
また、本実施形態では、板状部３６が被写体側に向けて光軸方向に延びて配置されているので、板状部３６の外周面の面積が比較的大きくなっている。このため、板状部３６の外周面にコネクタ１２を配置する際の自由度の向上し、ダボ等のコネクタ１２の固定手段の設置が容易になる。
【００４０】
また、本実施形態では、穴３３から外部に引き出されたＦＰＣ１０は、板状部３６の被写体側の端部３５から寸法Ｂだけ被写体側にはみ出した位置で略１８０°屈曲して板状部３６の外周面に沿って光軸方向を撮像素子３０側に延びてコネクタ１２に接続される。このため、ＦＰＣ１０をコネクタ１２に差し込む際の作業性を向上させることができる。
【００４１】
更に、本実施形態では、穴３３から外部に引き出されたＦＰＣ１０は、板状部３６の被写体側の端部３５から寸法Ｂだけ被写体側にはみ出している。このため、コネクタ１２の接続部にかかる負荷を軽減することができ、ＦＰＣ１０とコネクタ１２との接触不良を防止することができる。
【００４２】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４３】
１０  フレキシブルプリント基板
１２  コネクタ
２９  固定筒
３３  穴
３６  板状部
【図１】
2012137526.tif 000003
【図２】
2012137526.tif 000004
【図３】
2012137526.tif 000005
【図４】
2012137526.tif 000006
【図５】
2012137526.tif 000007
【図６】
2012137526.tif 000008